(57)【特許請求の範囲】
【請求項１】
液体が流入可能である内部空間を有し、該内部空間に流入した水を排出する排水口が設けられており、上方に開口が形成される本体部と、
前記本体部に対して脱着可能であり、前記本体部の所定の位置に取り付けられた状態で前記開口の少なくとも一部を覆う蓋体を備える蓋部と、
前記蓋部に設けられ前記本体部の内部に紫外線を照射する１つ以上の発光素子と、該発光素子に電力を供給する給電手段と、を有する照射部と、
を備え、
前記発光素子は、前記蓋体から間隔を空けた位置に配置され、前記蓋部が前記本体部の前記所定の位置に取り付けられた状態において、前記本体部の内側に位置し、
前記給電手段は、前記蓋部が前記本体部の前記所定の位置に取り付けられた状態において、前記発光素子への電力の供給が可能となるように構成されている
ことを特徴とする排水桝。
【請求項２】
前記発光素子は、前記蓋部が前記本体部の前記所定の位置に取り付けられた状態において、紫外線の照射方向が前記本体部の内部を向くように、前記蓋部に設けられている
ことを特徴とする請求項１記載の排水桝。
【請求項３】
前記蓋部は、前記蓋体から間隔を空けて配置される板状の部材である第２蓋体を備え、
前記第２蓋体は、前記蓋部が前記本体部の前記所定の位置に取り付けられた状態において、前記本体部の内側に位置し、
前記発光素子及び該発光素子に電力を供給する配線は、前記第２蓋体に設けられている
ことを特徴とする請求項１又は請求項２に記載の排水枡。
【請求項４】
液体が流入可能である内部空間を有し、該内部空間に流入した水を排出する排水口が設けられており、上方に開口が形成される本体部と、
前記本体部に対して脱着可能であり、前記本体部の所定の位置に取り付けられた状態で前記開口の少なくとも一部を覆う蓋部と、
前記蓋部に設けられ前記本体部の内部に紫外線を照射する１つ以上の発光素子と、該発光素子に電力を供給する給電手段と、を有する照射部と、
を備え、
前記給電手段は、前記蓋部が前記本体部の前記所定の位置に取り付けられた状態において、前記発光素子への電力の供給が可能となるように構成されており、
前記給電手段は、
前記本体部に設けられる端子である本体側端子であって、電源の正極に接続される第１の本体側端子と、
前記本体側端子であって、前記電源の負極に接続される第２の本体側端子と、
前記蓋部に設けられる端子である蓋側端子であって、前記発光素子の正極に接続される第１の蓋側端子と、
前記蓋側端子であって、前記発光素子の負極に接続される第２の蓋側端子と、
を備え、
前記蓋部が前記本体部の前記所定の位置に取り付けられた状態においては、前記第１の本体側端子と前記第１の蓋側端子とが接触すると共に前記第２の本体側端子と前記第２の蓋側端子とが接触することで、前記電源から前記発光素子への電力供給が可能となる
ことを特徴とする排水桝。
【請求項５】
前記本体部に設けられる本体側コネクタと、前記蓋部に設けられ、前記本体側コネクタと接続する蓋側コネクタと、を有する接続部を複数備えており、
前記複数の接続部のうちの少なくとも１つである第１接続部は、前記本体側コネクタに前記第１の本体側端子が配置され、かつ、前記蓋側コネクタに前記第１の蓋側端子が配置され、
前記第１接続部を除く前記複数の接続部のうちの少なくとも１つである第２接続部は、前記本体側コネクタに前記第２の本体側端子が配置され、かつ、前記蓋側コネクタに前記第２の蓋側端子が配置され、
前記複数の接続部のうちの少なくとも１つは、前記本体側コネクタに、上方向に凸状である突起部が設けられており、かつ、前記蓋側コネクタに、上方向に凹状であり、前記突起部の少なくとも一部が挿入可能な大きさの溝が形成された溝部が設けられており、
前記蓋部が前記本体部の前記所定の位置に取り付けられた状態においては、前記突起部が前記溝部に挿入されて、前記本体側端子と前記蓋側端子とが接触する
ことを特徴とする請求項４に記載の排水桝。
【請求項６】
前記複数の接続部のうちの少なくとも１つは、前記本体側コネクタに複数の前記本体側端子が間隔を空けて配置されており、かつ、前記蓋側コネクタに複数の前記蓋側端子が間隔を空けて配置されており、
前記蓋部が前記本体部の前記所定の位置に取り付けられた状態においては、前記複数の
本体側端子のそれぞれに前記複数の蓋側端子のいずれか１つが接触する
ことを特徴とする請求項５に記載の排水桝。
【請求項７】
前記本体部は、
前記内部空間に水を流入させる流入口と、
前記内部空間を、前記流入口が設けられる側の領域と前記排水口が設けられる側の領域とに分割する間仕切板と、
を備え、
前記発光素子の少なくとも１つは、前記流入口が設けられる側の領域に対して紫外線を照射する
ことを特徴とする請求項１から請求項６のいずれか１項に記載の排水桝。
【発明の詳細な説明】
【技術分野】
【０００１】
本発明は、排水桝に関する。
【背景技術】
【０００２】
飲食店厨房や食品製造工場などでは、排水に混じるゴミや油脂分などを分離回収するために床に排水桝が取り付けられる。
排水桝にて回収されるゴミには食品の残さが含まれるため、雑菌が繁殖しやすい環境下にある。排水桝における雑菌の繁殖を抑制するため、従来、排水桝の清掃を容易にする技術が提案されている。
【先行技術文献】
【特許文献】
【０００３】
【特許文献１】特開平１１−３２４０９３号公報
【発明の概要】
【発明が解決しようとする課題】
【０００４】
排水桝内に食品の残さが存在すれば、雑菌は繁殖する。よって、残さが存在していても雑菌の繁殖が抑制される技術が望まれている。
本発明の目的は、排水桝における雑菌の繁殖の抑制を図ることができる技術を提案することである。
【課題を解決するための手段】
【０００５】
本発明の第１の態様は、液体が流入可能である内部空間を有する本体部と、蓋部と、照射部と、を備える排水桝である。
本体部は、内部空間に流入した水を排出する排水口が設けられており、また、上方に開口が形成されている。蓋部は、本体部に対して脱着可能であり、本体部の所定の位置に取り付けられた状態で上記本体部の開口の少なくとも一部を覆う。
【０００６】
照射部は、蓋部に設けられ本体部の内部に紫外線を照射する１つ以上の発光素子と、該発光素子に電力を供給する給電手段と、を有する装置である。給電手段は、蓋部が本体部の上記所定の位置に取り付けられた状態において、上記発光素子への電力の供給が可能となるように構成されていることを特徴とする。
【０００７】
このように構成された排水桝では、照射部が本体部の内部に紫外線を照射するため、紫外線が照射された領域における雑菌の繁殖の抑制を図ることができる。
また、上記排水桝では、蓋部を本体部の所定の位置に取り付けた状態において、発光素子への電力の供給がなされる。よって、蓋部が本体部に取り付けられていないときには発光素子が紫外線を照射せず、不要なエネルギーの浪費が抑制される。
【０００８】
なお、発光素子が照射する紫外線は、より殺菌力の高い深紫外線としてもよい。
上記発光素子は、蓋部が本体部の上記所定の位置に取り付けられた状態において、本体部の内側に位置し、かつ、紫外線の照射方向が本体部の内部を向くように、蓋部に設けられていてもよい。このように発光素子を配置することで、効果的に雑菌の繁殖の抑制を図ることができる。
【０００９】
また、上記給電手段は、本体部に設けられる端子である本体側端子であって、電源の正極に接続される第１の本体側端子と、上記本体側端子であって、電源の負極に接続される第２の本体側端子と、蓋部に設けられる端子である蓋側端子であって、発光素子の正極に接続される第１の蓋側端子と、上記蓋側端子であって、発光素子の負極に接続される第２の蓋側端子と、を備える構成としてもよい。
【００１０】
その場合、更に、蓋部が本体部の上記所定の位置に取り付けられた状態においては、第１の本体側端子と第１の蓋側端子とが接触すると共に第２の本体側端子と第２の蓋側端子とが接触することで、電源から発光素子への電力供給が可能となるように構成されているとよい。
【００１１】
このように構成された排水桝では、蓋部を本体部の所定の位置に取り付けないときに本体側端子と蓋側端子とが上述したように接触する可能性は低いため、蓋部を所定の位置に取り付けないときに発光素子が紫外線を照射してしまうことを高度に抑制できる。
【００１２】
また、上記排水桝は、本体部に設けられる本体側コネクタと、蓋部に設けられ、上記本体側コネクタと接続する蓋側コネクタと、を有する接続部を複数備えていてもよい。その場合、接続部は以下のように構成されているとよい。
【００１３】
複数の接続部のうちの少なくとも１つである第１接続部は、本体側コネクタに第１の本体側端子が配置され、かつ、蓋側コネクタに第１の蓋側端子が配置される。また、上記第１接続部を除く複数の接続部のうちの少なくとも１つである第２接続部は、本体側コネクタに第２の本体側端子が配置され、かつ、蓋側コネクタに第２の蓋側端子が配置される。
【００１４】
更に、複数の接続部のうちの少なくとも１つは、本体側コネクタに、上方向に凸状である突起部が設けられており、かつ、蓋側コネクタに、上方向に凹状であり、上記突起部の少なくとも一部が挿入可能な大きさの溝が形成された溝部が設けられている。そして、蓋部が本体部の上記所定の位置に取り付けられた状態においては、上記突起部が上記溝部に挿入されて、本体側端子と蓋側端子とが接触する。
【００１５】
このように構成された排水桝では、本体側端子と蓋側端子とが接触する領域が溝部の奥の領域、つまり溝を構成する壁面に囲まれた領域となる。またこの溝部は上に凹状である。そのため、本体側コネクタと蓋側コネクタとが接続された状態において、それらコネクタに水が掛っても、上述した領域までは水が浸入しにくく、水によるショートなどの接続不良の発生を抑制できる。
【００１６】
また、複数の接続部のうちの少なくとも１つは、本体側コネクタに複数の本体側端子が間隔を空けて配置されており、かつ、蓋側コネクタに複数の蓋側端子が間隔を空けて配置されており、蓋部が本体部の上記所定の位置に取り付けられた状態においては、複数の本体側端子のそれぞれに複数の蓋側端子のいずれか１つが接触するように構成されていてもよい。
【００１７】
このように構成された排水桝は、上述した接続部において複数の蓋側端子と複数の本体側端子とのいずれか１つでも接触が実現すれば、当該接続部における導通が実現されるため、汚れなどによって生じる接触不良により発光素子に電力が供給されなくなってしまうことを抑制できる。
【００１８】
また、本体部は、内部空間に水を流入させる流入口と、内部空間を流入口が設けられる側の領域と排水口が設けられる側の領域とに分割する間仕切板と、を備え、上記発光素子の少なくとも１つが、上記流入口が設けられる側の領域に対して紫外線を照射するように構成されていてもよい。
【００１９】
上述した流入口が設けられる側の領域には残さなどが溜まるため、上記構成の排水桝では、残さに効果的に紫外線を照射することができる。
本発明の第２の態様は、第１のコネクタと、該第１のコネクタの上方に取り付け可能である第２のコネクタと、を備えるコネクタ構造である。
【００２０】
第１のコネクタは、上方に凸状である突起部を有し、該突起部に第１の端子が配置されており、第２のコネクタは、上方向に凹状であり、上記突起部の少なくとも一部が挿入可能な大きさの溝が形成された溝部を有し、該溝部に第２の端子が配置されている。第１のコネクタの上方に第２のコネクタを取り付けた状態において、第１の端子と第２の端子とが接触する。
【００２１】
このようなコネクタ構造では、第１の端子と第２の端子とが接触する領域が溝部の奥の領域、つまり溝部を構成する壁面に囲まれた領域となる。またこの溝部は上に凹状である。そのため、第１のコネクタと第２のコネクタとが接続された状態において、それらコネクタに水が掛っても、上述した領域までは水が浸入しにくく、水によるショートなどの接続不良の発生を抑制できる。
【図面の簡単な説明】
【００２２】
【図１】図１（Ａ）が蓋部の平面図であり、図１（Ｂ）が蓋部の正面図であり、図１Ｃが蓋部の左側面図である。
【図２】本体部を示す平面図である。
【図３】図３（Ａ）が図２のＡ−Ａ断面図であり、図３（Ｂ）が図２のＢ−Ｂ断面図である。
【図４】蓋部を示す底面図である。
【図５】図５（Ａ）が蓋側コネクタの側面図であり、図５（Ｂ）が図５（Ａ）のＣ−Ｃ断面図である。
【図６】図６（Ａ）が本体側コネクタの正面図であり、図６（Ｂ）が図６（Ａ）のＤ−Ｄ断面図である。
【図７】本体部に蓋部を取り付けた状態を示す図であって、図７（Ａ）が図３（Ａ）と同じ視点の断面図であり、図７（Ｂ）が図３（Ｂ）と同じ視点の断面図である。
【図８】本体部にごみ取りカゴを設置した状態を示す図である。
【発明を実施するための形態】
【００２３】
以下に本発明の実施形態を図面と共に説明する。
［１．実施形態］
［１−１．全体構成］
本実施形態の排水桝は、厨房や食品工場などの床に設置されるものであって、蓋部、本体部、及び照射部を備えている。以下に各部の構成を説明する。
【００２４】
図１（Ａ）〜（Ｃ）を用いて、蓋部１１の構成を説明する。蓋部１１は上蓋１３及び下蓋１５を備えており、後述する本体部３１の開口３３を塞ぐように本体部３１に脱着可能に構成されている。
【００２５】
上蓋１３は矩形の板状の部材である。上蓋１３の中央部には出し入れ自在の取っ手１３ａが備えられている。上蓋１３における１つの縁部とその反対側の縁部には、下方向に延び出す一対の蓋側コネクタ２１ａ、２１ｂが取り付けられている。蓋側コネクタ２１ａ、２１ｂの詳細は後述する。
【００２６】
なお、以下の説明における上下の方向は、排水桝を床に設置し、蓋部１１により適当に本体部を閉じた状態における上下を意味する。
下蓋１５は矩形の板状の部材であって、柱状の連結部１７により上蓋１３に対して間隔を空けて固定されている。下蓋１５には、４つのＬＥＤ２３が取り付けられている。このＬＥＤ２３が照射する光は、２５５ｎｍ〜３５０ｎｍの波長を有する深紫外線である。このＬＥＤ２３が本発明における発光素子の一例である。
【００２７】
次に、図２及び図３（Ａ）、（Ｂ）を用いて、本体部３１の構成を説明する。なお、図３（Ｂ）では排水口配管３７など一部の構成を省略している。
本体部３１は、液体が流入可能である内部空間を有する器であって、底面３１ａと４つの側面３１ｂ〜３１ｅを有している。本体部３１の上面は開口３３が形成されている。本体部３１の側面３１ｂには、内部空間に水が流入する流入口となる流入口配管３５が形成されている。また、側面３１ｂと対向する側面３１ｃには、内部空間に流入した水が排出される排水口となる排水口配管３７が形成されている。
【００２８】
底面３１ａには、垂直に延び出す間仕切板３９が設けられている。間仕切板３９は、上述した側面３１ｂ、３１ｃと直交する側面３１ｄから、側面３１ｄと対向する側面３１ｅまで延びており、底面３１ａ及び各側面から構成される内部空間の下方の領域を、流入口配管３５が設けられる側の領域と排水口配管３７が設けられる側の領域とに分割している。
【００２９】
側面３１ｄ、３１ｅには、一対の本体側コネクタ４１ａ、４１ｂが取り付けられている。本体側コネクタ４１ａ、４１ｂの詳細は後述する。
次に、照射部について説明する。照射部は、ＬＥＤ２３と、蓋側コネクタ２１ａ、２１ｂと、本体側コネクタ４１ａ、４１ｂと、各コネクタに設けられる複数の端子（蓋側端子５５ａ、５５ｂ及び本体側端子６５ａ、６５ｂ）と、直流電源７１（図６（Ｂ）参照）と、それらを接続するケーブルと、を構成要素として含む。
【００３０】
図４を用いて、蓋部１１に配置される照射部の構成を説明する。図４は蓋部１１の底面図であるが、上蓋１３は省略している。
蓋側コネクタ２１ａ、２１ｂは、本体側コネクタ４１ａ、４１ｂと対応した位置になっており、蓋側コネクタ２１ａと本体側コネクタ４１ａ、蓋側コネクタ２１ｂと本体側コネクタ４１ｂ、の両方が接続されることで、直流電源７１からＬＥＤ２３に電力が供給される。
【００３１】
下蓋１５には、４つのＬＥＤ２３と、蓋側コネクタ２１ａと各ＬＥＤ２３の正極を繋ぐ第１配線２５と、第１配線２５に配置される制限抵抗２５ａと、蓋側コネクタ２１ｂと各ＬＥＤ２３の負極を繋ぐ第２配線２７と、が配置されている。各ＬＥＤ２３は並列的に接続されている。
【００３２】
これらは下蓋１５の上面に配置されており、ＬＥＤ２３の照射光は下蓋１５に形成された貫通孔１５ａ（図１（Ｃ）参照）を通過して本体部３１に照射される。
次に、蓋側コネクタ２１ａ、２１ｂについて説明する。
【００３３】
図５（Ａ）、（Ｂ）に示されるように、蓋側コネクタ２１ａは、上蓋１３に固定される箱部５１と、箱部５１の下端に配置される、周囲よりも上方向に凹状の溝５３ａが形成された溝部５３と、溝５３ａの底（上端）に設けられた孔から突出する蓋側端子５５ａ、５５ｂと、それら端子に接続される、ＬＥＤ２３に接続される第１配線２５と、を有する。溝５３ａは、後述する突起部６３の一部が挿入可能な大きさである。
【００３４】
第１配線２５は、箱部５１の側面に設けられた貫通孔５１ａを通過して、箱部５１の外部に延び出している。
蓋側コネクタ２１ｂは、基本的に蓋側コネクタ２１ａと同一の構成であるが、蓋側端子５５ａ、５５ｂが第２配線２７に接続されている点で相違する。
【００３５】
なお、蓋側コネクタ２１ａに設けられる蓋側端子５５ａ、５５ｂが、本発明における第１の蓋側端子の一例であり、蓋側コネクタ２１ｂに設けられる蓋側端子５５ａ、５５ｂが、本発明における第２の蓋側端子の一例である。
【００３６】
次に、本体側コネクタ４１ａ、４１ｂについて説明する。
図６（Ａ）、（Ｂ）に示されるように、本体側コネクタ４１ａは、本体部３１に固定される箱部６１と、箱部６１の上端に配置される、周囲よりも上方向に凸状の突起部６３と、突起部６３の上端に設けられた孔から突出する本体側端子６５ａ、６５ｂと、それら端子に接続される、直流電源７１に接続されるケーブル６７と、を有する。
【００３７】
本体側端子６５ａ、６５ｂは、蓋側端子５５ａ、５５ｂと対応する位置となるように間隔を空けて配置され、上下方向の所定範囲で摺動可能であり、図示しないバネにより上方に付勢されている。また、本体側端子６５ａ、６５ｂはいずれも直流電源７１の正極に接続されている。
【００３８】
ケーブル６７は、箱部６１の裏面、言い換えると本体部３１の側面と接触する側の面に設けられた貫通孔６１ａを通過して、箱部６１の外部に延び出している。
本体側コネクタ４１ｂは、基本的に本体側コネクタ４１ａと同一の構成であるが、本体側端子６５ａ、６５ｂが直流電源７１の負極に接続されている点で相違する。
【００３９】
なお、本体側コネクタ４１ａに設けられる本体側端子６５ａ、６５ｂが、本発明における第１の本体側端子の一例であり、本体側コネクタ４１ｂに設けられる本体側端子６５ａ、６５ｂが、本発明における第２の本体側端子の一例である。
【００４０】
図７（Ａ）、（Ｂ）は、蓋部１１を本体部３１上に配置して本体部３１の開口を閉じた状態を示している。この状態で、蓋側コネクタ２１ａと本体側コネクタ４１ａ、及び、蓋側コネクタ２１ｂと本体側コネクタ４１ｂとは接続されている。この状態で、ＬＥＤ２３は本体部３１の内部空間に位置しており、紫外線の照射方向が下方、即ち本体部の内部を向くようになっている。
【００４１】
より詳細には、本体側コネクタ４１ａの突起部６３は蓋側コネクタ２１ａの溝部５３の溝５３ａに挿入され、蓋側端子５５ａ、５５ｂと本体側端子６５ａ、６５ｂとが接触している。本体側コネクタ４１ｂと蓋側コネクタ２１ｂについても同様に、蓋側端子５５ａ、５５ｂと本体側端子６５ａ、６５ｂとが接触している。
【００４２】
このように蓋部１１を本体部３１の所定の位置に取り付けることで、ＬＥＤ２３と直流電源７１を接続する回路が形成されて、ＬＥＤ２３に直流電源７１からの電力供給が行われ、本体部３１内に紫外線を照射する。なお、蓋側端子５５ａと本体側端子６５ａ、及び蓋側端子５５ｂと本体側端子６５ｂのうちのいずれか１つでも接触が実現すれば、ＬＥＤ２３に電力を供給するための回路が形成されるように配線されている。
【００４３】
蓋部１１を本体部３１から取り外すと、直流電源７１からＬＥＤ２３へ電力を供給する回路が切断されるため、ＬＥＤ２３は照射を停止する。
ＬＥＤ２３による紫外線の照射範囲は、本体部３１の底面全体である。つまり、流入口配管３５が設けられる側の領域と排水口配管３７が設けられる側の領域の両方である。なお流入口配管３５が設けられる側の領域には、図８に示すように、ごみ取りカゴ８１が設置可能であり、ごみ取りカゴ８１が設置された状態においては、ＬＥＤ２３はごみ取りカゴ８１の内部に向けて深紫外線を照射する。
【００４４】
なお、蓋側端子５５ａ、５５ｂ、本体側端子６５ａ、６５ｂ、直流電源７１、第１配線２５、第２配線２７、ケーブル６７が、本発明における給電手段の一例である。
また、蓋側コネクタ２１ａと本体側コネクタ４１ａが、本発明における第１接続部の一例であり、蓋側コネクタ２１ｂと本体側コネクタ４１ｂが、本発明における第２接続部の一例である。
【００４５】
［１−２．効果］
本実施形態の排水桝は、以下の効果を奏する。
［１Ａ］蓋部１１を本体部３１の所定の位置に配置して開口３３の蓋をしたときに、ＬＥＤ２３に電力が供給され、それによりＬＥＤ２３は深紫外線を照射する。よって、本体部３１の内部空間における雑菌の繁殖の抑制を図ることができる。
【００４６】
［１Ｂ］蓋部１１により蓋をすると照射が実行され、蓋部１１を開けると照射が停止されるため、ＬＥＤ２３による不要な深紫外線の照射を低減でき、エネルギーの浪費を抑制できる。また、使用者等に紫外線が照射される危険を低減できる。
【００４７】
［１Ｃ］ＬＥＤ２３が本体部３１の内側に位置する状態で、ＬＥＤ２３は深紫外線を本体部３１内に照射する。そのため、効果的に雑菌の繁殖の抑制を図ることができる。
［１Ｄ］蓋側端子５５ａ、５５ｂと本体側端子６５ａ、６５ｂとが接触したことを条件にＬＥＤ２３による深紫外線の照射が実行されるため、蓋部１１を本体部３１に取り付けない状態でＬＥＤ２３が深紫外線の照射を行う危険が小さい。
【００４８】
［１Ｅ］蓋側端子５５ａ、５５ｂと本体側端子６５ａ、６５ｂとが接触する領域が溝部５３に囲まれた領域であるため、コネクタに水が掛っても、上述した領域までは水が浸入しにくく、水によるショートなどの接続不良の発生を抑制できる。
【００４９】
［１Ｆ］蓋側端子５５ａ、５５ｂと本体側端子６５ａ、６５ｂとがそれぞれ複数設けられており、それらのいずれか１つでも接触が実現すれば、ＬＥＤ２３に電力を供給するための回路を形成できるため、汚れなどによって生じる接触不良によりＬＥＤ２３に電力が供給されなくなってしまうことを抑制できる。
【００５０】
［２．その他の実施形態］
本発明は上記実施形態に限定されることなく、種々の形態を採り得ることは言うまでもない。取り得る形態の例を以下に挙げる。
【００５１】
［２Ａ］上記実施形態では、蓋側端子５５ａ、５５ｂと本体側端子６５ａ、６５ｂとが接触することで電力が供給される構成を例示したが、電磁誘導などの非接触電力伝送（いわゆる無線給電）の技術を用いて、蓋部１１が所定の位置に近接したときに電力が供給されるように構成されていてもよい。
【００５２】
［２Ｂ］ＬＥＤ２３の照射制御を、電力供給とは別に実行してもよい。例えば、蓋部１１が所定の位置に取り付けられたことを検知するセンサと、電源供給を制御する制御装置とを設け、蓋部１１が所定の位置に取り付けられたことをそのセンサが検出しているときに限って、制御装置がＬＥＤ２３に電力を供給するように構成されていてもよい。
【００５３】
また、例えば深夜にのみＬＥＤ２３を照射するといった、時刻による電源制御や、周囲が暗いときにのみＬＥＤ２３を照射するといった、光センサを用いた電源制御を行う構成としてもよい。
【００５４】
［２Ｃ］蓋側コネクタ２１ａと本体側コネクタ４１ｂとが接続し、かつ蓋側コネクタ２１ｂと本体側コネクタ４１ａとが接続した状態とならないようなコネクタの形状としてもよい。例えば、本体側コネクタ４１ａと本体側コネクタ４１ｂの突起部６３の形状を異ならせて、蓋側コネクタ２１ａと蓋側コネクタ２１ｂの溝部５３に形成される溝を、対応する本体側コネクタの突起部６３以外は挿入できないように形成するとよい。
【００５５】
また、一方の本体側コネクタと蓋側コネクタにのみ凹凸を形成してもよい。
［２Ｄ］ＬＥＤ２３の照射範囲を、流入口配管３５が設けられる側の領域に限定してもよいし、その領域に対する深紫外線の照射量を多くするようにＬＥＤ２３の配置を調整してもよい。もちろん、排水口配管３７が設けられる側の領域の照射量を多くしてもよい。
【００５６】
［２Ｅ］排水桝を構成する各構成要素の数、形状、機能は、上記実施形態に限られることなく様々な態様とすることができる。
例えば各コネクタの端子の数は２つに限らず、１つでもよいし、３つ以上でもよい。
【００５７】
蓋部１１は、開口３３の全てを覆うことなく、開口３３の一部のみを覆うものであってもよい。また蓋部１１はその一部が本体部３１に連結されていてもよい。その場合、ＬＥＤ２３の正極及び負極のいずれかは、直流電源に常に接続されていてもよい。
【００５８】
また、発光素子はＬＥＤに限定されない。例えば、紫外線ランプを用いてもよい。また、深紫外線でない波長の紫外線を照射する構成であってもよい。
また、ＬＥＤ２３の数や配線の構成なども、上記実施形態に限定されることなく、様々な態様とすることができる。
【００５９】
なお、上記実施形態の蓋側コネクタ２１ａ、２１ｂ及び本体側コネクタ４１ａ、４１ｂを有するコネクタ構造は、以下のように表すことができる。
上述したコネクタ構造は、第１のコネクタと、該第１のコネクタの上方に取り付け可能である第２のコネクタと、を備え、上記第１のコネクタは、上方に凸状である突起部を有し、該突起部に第１の端子が配置されており、上記第２のコネクタは、上方向に凹状であり、上記突起部の少なくとも一部が挿入可能な大きさの溝が形成された溝部を有し、該溝部に第２の端子が配置されており、上記第１のコネクタの上方に上記第２のコネクタを取り付けた状態において、上記第１の端子と上記第２の端子とが接触することを特徴とするコネクタ構造である。
【００６０】
また上記コネクタ構造において、上記第１のコネクタは、複数の上記第１の端子が間隔を空けて配置されており、上記第２のコネクタは、複数の上記第２の端子が間隔を空けて配置されており、上記第１のコネクタの上方に上記第２のコネクタを取り付けた状態においては、上記複数の本体側端子のそれぞれに上記複数の蓋側端子のいずれか１つが接続するように構成されていてもよい。
【符号の説明】
【００６１】
１１…蓋部、１３…上蓋、１５…下蓋、２１ａ、２１ｂ…蓋側コネクタ、２３…ＬＥＤ、２５…第１配線、２７…第２配線、３１…本体部、３１ａ…底面、３１ｂ〜３１ｅ…側面、３３…開口、３５…流入口配管、３７…排水口配管、３９…間仕切板、４１ａ，４１ｂ…本体側コネクタ、５１…箱部、５３…溝部、５３ａ…溝、５５ａ，５５ｂ…蓋側端子、６１…箱部、６３…突起部、６５ａ，６５ｂ…本体側端子、６７…ケーブル、７１…直流電源、８１…ごみ取りカゴ
【図１】
0006472134.tif 000002
【図２】
0006472134.tif 000003
【図３】
0006472134.tif 000004
【図４】
0006472134.tif 000005
【図５】
0006472134.tif 000006
【図６】
0006472134.tif 000007
【図７】
0006472134.tif 000008
【図８】
0006472134.tif 000009